(57)【特許請求の範囲】
【請求項１】
商用交流電流を整流する整流回路、
チョークトランスと、第１のスイッチング素子と、前記第１のスイッチング素子をスイッチング駆動する第１の駆動回路と、平滑手段とを有して、前記整流回路からの出力を昇圧して平滑し、直流電源を生成する昇圧チョパ回路、
前記昇圧チョパ回路により形成された直流電源の出力を高周波の高電圧の交流電流に変換するハーフブリッジインバータで構成され、第２のスイッチング素子と第３のスイッチング素子とを交互にオンオフとなるようスイッチング駆動する第２の駆動回路を有するインバータ回路、
放電灯の一方の極のフィラメントとチョークコイルと共振コンデンサが直列に接続された直列共振回路を有し、直流電源となる前記インバータ回路の出力端子と前記チョークコイルが接続された放電灯の一方の極のフィラメントとの間に接続され、放電灯の２極のフィラメントに導通検出用の直流バイアス電流を流すための第１の抵抗と、前記共振コンデンサに並列に接続された第２の抵抗と、により前記放電灯の両極の各フィラメントに直流バイアス電流を流す直流バイアス回路、及び
前記直流バイアス回路に流れる電流の値を検出して出力する電流検出回路と、を有し、
前記電流検出回路の出力した電流値が所定値以下になった時に、前記昇圧チョパ回路の前記第１の駆動回路への供給電圧が低減されて、前記第１のスイッチング素子のスイッチング駆動が停止されて昇圧動作を停止し、且つ前記インバータ回路の前記第２の駆動回路への供給電圧が低減されて、前記インバ−タ回路の出力電圧が下降するよう構成された放電灯点灯装置。
【請求項２】
前記電流検出回路は、前記インバータ回路の出力端子を前記第１の抵抗と前記チョークコイルを介して放電灯の一方の極のフィラメントの電源側に接続し、他方の極のフィラメントの電源側に直流カットコンデンサを介して接地側に接続し、前記放電灯の両極のフィラメントの非電源側間に前記共振コンデンサを接続し、前記直流カットコンデンサに並列にダイオードが接続され、前記直流カットコンデンサの放電灯側端子にダイオードのカソードを接続し、接地側端子に前記ダイオードのアノードを接続した請求項１に記載の放電灯点灯装置。
【請求項３】
複数個の放電灯を１つの放電灯点灯装置により並列点灯する放電灯点灯装置であって、
放電灯点灯装置は、それぞれの放電灯に対する前記直流バイアス回路及び前記電流検出回路を備え、それぞれの放電灯において前記電流検出回路の出力する電流値が所定値以下になった時に、前記昇圧チョパ回路の前記第１の駆動回路への供給電圧が低減されて、前記第１のスイッチング素子のスイッチング駆動を停止されて昇圧動作が停止し、且つ前記インバータ回路の前記第２の駆動回路への供給電圧が低減されて、前記インバ−タ回路の出力電圧が下降するよう構成された請求項１又は２に記載の放電灯点灯装置。
【請求項４】
前記昇圧チョッパ回路の前記チョークトランスの補助電源巻線の出力電流を整流し、前記インバータ回路の第２の駆動回路に供給するよう構成された請求項１乃至３のいずれか一項に記載の放電灯点灯装置。
【発明の詳細な説明】
【０００１】
【発明の属する技術分野】
本発明は高周波インバ−タ回路を用いた直列共振点灯方式の放電灯点灯装置に関し、特に放電灯の寿命末期のフィラメント切れ及び放電灯が正常に挿入されているかどうかの検出回路を備えた放電灯点灯装置に関する。
【０００２】
【従来の技術】
従来の高周波インバータ回路を用いた放電灯点灯装置の例として特開昭６３−８６３９９号公報に開示されている放電灯点灯装置について図３を参照しつつ説明する。図３は、従来の放電灯点灯装置の２灯の放電灯を点灯させるインバータ回路部分を示す回路図である。
【０００３】
図３において、商用交流電流を図示しない整流平滑回路（例えばブリッジ整流）で全波整流した直流電圧ＤＣがトランジスタインバ−タ回路５１に入力される。
トランジスタインバ−タ回路５１においては、出力トランジスタ５３、５４が駆動回路５２の出力する駆動信号により高周波で交互にオンオフ駆動され、それぞれチョークコイル（限流インダクタ）５５、５６とコンデンサ５７、５８とで形成される２組の直列共振回路の共振周波数より高い数十ｋＨｚの高周波電圧が出力される。
この高周波電圧は、負荷として接続された２本の放電灯１６、３９に与えられ、それぞれのチョークコイル（限流インダクタ）５５、５６を経て、放電灯１６、３９の両極のフィラメント１６ａ、１６ｂ及びフィラメント３９ａ、３９ｂを介してコンデンサ５７、５８に高周波電流が流れる。この電流により各フィラメント１６ａ、１６ｂ、３９ａ、３９ｂが余熱される。各フィラメント１６ａ、１６ｂ、３９ａ、３９ｂの余熱後、駆動回路５２の駆動信号の周波数を、チョークコイル５５、５６とコンデンサ５７、５８との２組の直列共振回路の共振周波数まで高周波電流の周波数を低下させる。すると、チョークコイル５５、５６とコンデンサ５７、５８の共振作用により、各放電灯１６、３９のそれぞれの両極のフィラメント１６ａ、１６ｂ間及びフィラメント３９ａ、３９ｂ間に高い共振電圧が加わり両放電灯１６、３９が点灯する。
【０００４】
点灯後、両放電灯１６、３９に流れる管電流はチョークコイル５５、５６のインピ−ダンスにより制限される。
出力トランジスタ５３、５４がデュ−ティ５０％でオン／オフ（数十ｋＨｚ周期）している。したがって、正常点灯中は両放電灯１６、３９のそれぞれの両極フィラメント１６ａ、１６ｂ、３９ａ、３９ｂに並列に接続された各直流カットコンデンサ５９、６０、６１、６２に印加される電圧は、直流電源電圧ＤＣ（リップル分も含まれる）の半分と放電灯に流れる管電流とコンデンサ５７、５８に流れる高周波電流の和の電流により直流カットコンデンサ５９、６０、６１、６２のインピ−ダンスに応じて生ずる高周波電圧とが合成された電圧となっている。
【０００５】
上記のような高周波インバ−タ回路を用いた直列共振点灯方式の天井放電灯点灯装置では、通常一つの点灯装置には複数の放電灯が使用されている。また、図示しない主電源スイッチにより複数の点灯装置をオンオフしており、設置されている場所が高いところにある場合が多いため、１本の放電灯の寿命がきても速やかに交換されることがない。
また、放電灯は、片側の極のフィラメントに塗布されている電子放射物質（エミッター）が無くなる状態（以下、片エミッターレス状態と記す）、両側の極のフィラメントに塗布されている電子放射物質（エミッター）が無くなる状態（以下、両エミッターレス状態と記す）、最後にフィラメントそのものが電子放射物質（エミッター）となってしまいフィラメントそのものが切れてしまう状態を経て末期的症状を段階的に迎える。
【０００６】
そのような状態になった放電灯では、フィラメントが切れるまでの各段階で点灯時の高い共振電圧が放電灯のフィラメントに常時もしくは周期的に印加されるために、放電灯のソケットの絶縁不良やフィラメントの加熱等が問題となっていた。
さらに、このような複数の放電灯を点灯させる放電灯点灯装置で、１本又は２本の放電灯が不動作であるとき、電源スイッチを正しくオフせずに放電灯を交換しようとする場合がある。このとき、正常な複数灯の通電でないため、外しかけの放電灯の電極やソケットに誤って触れると高周波高圧電流による電撃を受け、梯子から転落して重傷を負う危険があった。
このような危険を防ぐため、複数放電灯を有する放電灯点灯装置では、放電灯の寿命末期の検出回路を設けて、その検出出力でインバ−タ回路の動作を停止させるような安全性の改善が要請されていた。
【０００７】
そこで、図３に示す動作停止装置の先行例が考案されていた。その装置では、放電灯１６、３９のそれぞれの接地側フィラメント１６ｂ、３９ｂに、それぞれ抵抗６３を経由して直流電源電圧を印加し、直流バイアス電流が流れるように構成している。そして、この直流バイアス電流値が所定の値以下になった場合には、検出回路６７を構成するスイッチング素子６５、６６からの信号により駆動回路５２が停止して、トランジスタインバータ回路５１の発振が停止するようになっている。
【０００８】
このように、従来例の放電灯点灯装置では、放電灯１６、３９の片側のフィラメント１６ｂ、３９ｂのみに直流バイアス電流を流し、その直流バイアス電流の電流値を検出し、トランジスタインバ−タ回路の発振を停止させて放電灯に高周波の交流電圧が印加されないようになっている。その結果、放電灯の寿命末期のフィラメント切れによる放電灯点灯装置の保護、及び放電灯の交換時に人体の一部が高電圧部に触れることによる電撃の防止を行っていた。
【０００９】
【発明が解決しようとする課題】
しかしながら、直流バイアス電流を流していない片側のフィラメント１６ａ，３９ａの導通状態の検出を行っていないため、それらの非検出フィラメント側の放電灯の寿命末期のフィラメント切れによる放電灯点灯装置の保護や放電灯の交換時に電撃の防止は不十分であるという問題があった。
【００１０】
また、近年要求されている商用交流電源に対する高調波妨害の低減や省電力に対応し、チョ−クトランスとスイッチング素子にてのチョッピング動作による力率改善回路が使用される傾向にある。このような力率改善回路は、商用交流電流を整流後昇圧し、平滑コンデンサにて平滑した高圧の直流電源の出力を高周波に変換する高周波インバ−タ回路の直流電源としている。
したがって、放電灯の寿命末期のフィラメント切れや放電灯が正常に挿入されていない場合にインバ−タ回路の発振を停止させた場合でも、インバ−タ回路には高圧の直流電圧が供給されている。
【００１１】
その結果、一つの電源スイッチで多数の天井照明用の放電灯点灯装置を開閉している場合には、一つの放電灯点灯装置の放電灯が寿命末期であったとしても他の放電灯の照明が必要な場合に電源スイッチを切ることはなく使用される。したがって、放電灯が寿命末期でフィラメントが切れていて力率改善回路の出力の負荷がほとんどなくなった場合に力率改善回路の動作が不安定なり、前記力率改善回路のスイッチング素子にストレスが加わるため放電灯点灯装置が破損するという問題もあった。
【００１２】
本発明の目的は、フィラメント切れの放電灯が挿入されている場合や放電灯が挿入されていない場合の放電灯点灯装置において、スイッチング素子のストレスを低減してその装置を保護でき、かつ放電灯の交換時に取扱者の受ける電撃を防止できる放電灯点灯装置を提供することにある。
【００１３】
【課題を解決するための手段】
上述した課題を解決するために、本発明に係る第１の観点の放電灯点灯装置は、商用交流電流を整流する整流回路、
チョークトランスと、第１のスイッチング素子と、前記第１のスイッチング素子をスイッチング駆動する第１の駆動回路と、平滑手段とを有して、前記整流回路からの出力を昇圧して平滑し、直流電源を生成する昇圧チョパ回路、
前記昇圧チョパ回路により形成された直流電源の出力を高周波の高電圧の交流電流に変換するハーフブリッジインバータで構成され、第２のスイッチング素子と第３のスイッチング素子とを交互にオンオフとなるようスイッチング駆動する第２の駆動回路を有するインバータ回路、
放電灯の一方の極のフィラメントとチョークコイルと共振コンデンサが直列に接続された直列共振回路を有し、直流電源となる前記インバータ回路の出力端子と前記チョークコイルが接続された放電灯の一方の極のフィラメントとの間に接続され、放電灯の２極のフィラメントに導通検出用の直流バイアス電流を流すための第１の抵抗と、前記共振コンデンサに並列に接続された第２の抵抗と、により前記放電灯の両極の各フィラメントに直流バイアス電流を流す直流バイアス回路、及び
前記直流バイアス回路に流れる電流の値を検出して出力する電流検出回路と、を有し、
前記電流検出回路の出力した電流値が所定値以下になった時に、前記昇圧チョパ回路の前記第１の駆動回路への供給電圧が低減されて、前記第１のスイッチング素子のスイッチング駆動が停止されて昇圧動作を停止し、且つ前記インバータ回路の前記第２の駆動回路への供給電圧が低減されて、前記インバ−タ回路の出力電圧が下降するよう構成されている。
【００１４】
この本発明の放電灯点灯装置によれば、放電灯の両極のフィラメント切れを検出でき、放電灯の交換時の電撃を防止できる。また、多数の放電灯点灯装置を１つの電源スイッチで開閉するシステムにおいても、フィラメント切れの放電灯が挿入されている場合や放電灯が挿入されていない場合の放電灯装置のスイッチング素子に対するストレスを低減できる。さらに、正常な放電灯に交換し、再点灯させる場合にも商用交流電源を一旦入れ直す必要がない放電灯点灯装置を提供出来る。
【００１５】
本発明に係る第２の観点の放電灯点灯装置は、前記の第１の観点における前記電流検出回路は、前記インバータ回路の出力端子を前記第１の抵抗と前記チョークコイルを介して放電灯の一方の極のフィラメントの電源側に接続し、他方の極のフィラメントの電源側に直流カットコンデンサを介して接地側に接続し、前記放電灯の両極のフィラメントの非電源側間に前記共振コンデンサを接続し、前記直流カットコンデンサに並列にダイオードが接続され、前記直流カットコンデンサの放電灯側端子にダイオードのカソードを接続し、接地側端子に前記ダイオードのアノードを接続して構成してもよい。
【００１６】
この構成によれば、放電灯の寿命末期の片エミッターレス状態になった場合でも前記直流バイアス電流値を検出する電流検出回路が安定に動作する。その結果、放電灯がソケットに正常に挿入されているかどうかの検出や放電灯の寿命末期のフィラメント切れの検出ができる。
【００１７】
本発明に係る第３の観点の放電灯点灯装置は、前記の第１又は第２の観点における複数個の放電灯を１つの放電灯点灯装置により並列点灯する放電灯点灯装置であって、
放電灯点灯装置は、それぞれの放電灯に対する前記直流バイアス回路及び前記電流検出回路を備え、それぞれの放電灯において前記電流検出回路の出力する電流値が所定値以下になった時に、前記昇圧チョパ回路の前記第１の駆動回路への供給電圧が低減されて、前記第１のスイッチング素子のスイッチング駆動を停止されて昇圧動作が停止し、且つ前記インバータ回路の前記第２の駆動回路への供給電圧が低減されて、前記インバ−タ回路の出力電圧が下降するよう構成してもよい。この構成によれば、複数個の放電灯のうち、いずれかの放電灯が寿命末期状態になったとき等にインバータ回路の出力電圧が下降している。その結果、放電灯を交換するときに、放電灯に高圧の高周波電圧が印加されないので電撃を防止できる。
【００１８】
本発明に係る第４の観点の放電灯点灯装置は、前記の第１乃至第３の観点における前記昇圧チョッパ回路の前記チョークトランスの補助電源巻線の出力電流を整流し、前記インバータ回路の第２の駆動回路に供給するよう構成してもよい。この構成によれば、前記電流検出回路で検出した直流バイアス電流の値が所定の値以下になった時にチョッパ回路の第１の駆動回路の動作を停止させることで同時にインバ−タ回路の第２の駆動回路の電源の供給も停止させることができる。その結果、放電灯の交換時に、放電灯に高圧の高周波電圧が印加されず、取扱者に対する電撃を防止できる。
【００２１】
【発明の実施の形態】
以下、本発明の放電灯点灯装置の好適な実施例について添付の図１及び図２を参照しつつ説明する。
【００２２】
《実施例１》
図１は、本発明の実施例１の放電灯点灯装置のブロック図である。
図１において、商用交流電源１から出力される交流電流は電源スイッチＳＷ１を介して接続されるダイオ−ドブリッジからなる整流回路２で整流され、昇圧チョッパ回路からなる力率改善回路３で昇圧され、所定の高圧の直流電流に変換される。
この力率改善回路３は、チョ−クトランス４の主巻線４ａの一端がダイオ−ドブリッジ２のプラス側出力端子２ａに接続され、チョ−クトランス４の主巻線４ａの他端と接地側端子との間にスイッチング素子５が接続されている。
【００２３】
このスイッチング素子５は力率改善駆動回路６（例えば、インフィニオン社ＩＣ、品名ＴＤＡ４８６２）によって、スイッチング駆動される。また、チョ−クトランス４の出力端子は、ダイオ−ド８を介して平滑コンデンサ９に接続されている。
力率改善回路３の出力端子が接続された平滑コンデンサ９の両端には、ハ−フブリッジインバ−タからなるインバ−タ回路１０が接続されている。
このインバ−タ回路１０の２つのスイッチング素子１１、１２は、駆動回路１３（例えば、アイア−ル社製ＩＣ、品名ＩＲ２１５３）によって駆動される。インバ−タ回路１０の出力端子は、放電灯１６の２極のフィラメント１６ａ、１６ｂに導通検出用の直流バイアス電流を流すための抵抗１４とチョ−クコイル１５を介して蛍光灯などの放電灯１６の負荷とにそれぞれ接続されている。
【００２４】
また、放電灯１６の両極のフィラメント１６ａ、１６ｂには、共振用コンデンサ１７と前記放電灯の両フィラメント１６ａ、１６ｂに導通検出のための直流バイアス電流を流すための抵抗１８とが共振用コンデンサ１７に並列に接続されている。また、フィラメント１６ｂの接地側端子には直流カットコンデンサ１９が接続されている。さらに、この直流カットコンデンサ１９の両端の直流電圧に応じてスイッチング素子２３をオンオフ駆動するための抵抗２０，２１と交流成分の除去のためのコンデンサ２２とが抵抗２１と並列に接続された電流検出回路７が設けられている。また、直流カットコンデンサ１９にアノ−ド端子が接地側に、カソ−ド端子がコンデンサ１９と抵抗２０の接続点にそれぞれ接続したダイオード３５が並列に接続されている。
【００２５】
また、ダイオ−ドブリッジ２のプラス側出力端子２ａは、抵抗３１，３２を介してコンデンサ２７に接続され、整流された直流はコンデンサ２７で平滑され、力率改善回路６に供給される。
一方この抵抗３２とコンデンサ２７の接続点からスイッチング素子３０のエミッタ間に抵抗２９が、スイッチング素子３３のドレイン間に抵抗２８がそれぞれ接続されている。スイッチング素子３０のコレクタとスイッチング素子３３のソ−スは接地側に接続されている。スイッチング素子３３のゲ−ト端子はスイッチング素子２３のドレインと接続され、さらに抵抗３４を介して抵抗３１と抵抗３２との接続点に接続されている。
【００２６】
また、チョ−クトランス４の補助電源巻線４ｂと電流検出巻線４ｃの一端は接地側に接続され、一方チョ−クトランス４の補助電源巻線４ｂの他端はダイオ−ド２５に接続されている。ダイオード２５により整流された直流電圧は、コンデンサ２４にて平滑され、インバ−タ回路１０の駆動回路１３に電源電圧として供給されるとともに、ダイオ−ド２６で整流されて力率改善駆動回路６に供給されている。
一方、チョ−クトランス４の電流検出巻線４ｃの他端は抵抗６ａを介して力率改善駆動回路６に接続されている。
【００２７】
このように構成された実施例１の放電灯点灯装置において、放電灯１６のフィラメント１６ａ、１６ｂが正常な導通状態で、尚かつ放電灯１６が正常にソケットに挿入されている場合の動作について説明する。
電源スイッチＳＷ１をオンした電源投入時、まず力率改善回路３が動作していないためスイッチング素子５がオフとなっており、チョ−クトランス４の主巻線４ａ、ダイオ−ド８、抵抗１４，チョ−クコイル１５、フィラメント１６ａ、抵抗１８，フィラメント１６ｂ、抵抗２０，２１にて構成されるバイアス回路に直流バイアス電流が流れる。ここで、抵抗１４，１８，２０，２１の定数を適切に設定すると、この直流バイアス電流により電流検出回路７のスイッチング素子２３のゲ−ト端子電圧が上昇してスイッチング素子２３がオンする。すると、ダイオ−ドブリッジ２の出力電圧により抵抗３２，３４を介してオンとなっていたスイッチング素子３３オフとなり、スイッチング素子３０がオフとなる。
【００２８】
これによりダイオ−ドブリッジ２の出力電流が抵抗３１，３２を介して力率改善駆動回路６に供給され、力率改善駆動回路６が動作し、スイッチング素子５がスイッチング動作を開始する。これにより、力率改善回路３が動作しダイオ−ドブリッジ２の出力電圧を昇圧し、平滑した直流電流を高周波に変換するインバ−タ回路１０に供給する。
また、スイッチング素子５がスイッチング動作を開始するとチョ−クトランス４の補助電源巻線４ｂと主巻線４ａの電流検出端子には主巻線４ａと補助電源巻線４ｂとの巻数比に応じたパルス出力電圧が出力される。すると、主巻線４ａの電流検出端子の出力電圧は抵抗６ａを介して、力率改善駆動回路６への制御信号として（前記ＴＤＡ４８６２のゼロ電流検出端子への入力信号として）力率改善駆動回路６に入力される。また、補助電源巻線４ｂの出力電流はダイオ−ド２５にて整流され、コンデンサ２４にて平滑され、インバ−タ回路１０の駆動回路１３に供給される。
【００２９】
上述したように力率改善回路３が正常に動作することにより、インバ−タ回路１０の駆動回路１３が動作する。したがって、スイッチング素子１１、１２にて構成されるハ−フブリッジインバ−タ回路１０からの出力電流が放電灯１６に供給され、放電灯１６が高周波点灯される。
正常に放電灯１６が高周波点灯されると、コンデンサ１９の非接地側、即ちフィラメント１６ｂに接続された側の電圧は、高周波電流により生ずる電圧が付加されて力率改善回路３の直流出力電圧（コンデンサ９の電圧）のほぼ半分の電圧となる。したがって、高周波電流による電圧が付加されない電源投入時よりもスイッチング素子２３のゲ−ト電圧は高くなり、スイッチング素子２３はオンの状態を維持し続ける。
【００３０】
ところが、放電灯１６が寿命末期となり、フィラメント１６ｂ側の電子放射物質（エミッタ−）が喪失する片エミッタ−レスにより整流作用が発生した場合は、コンデンサ１９の電圧が接地側よりも瞬間的にマイナス電位となる。したがって、抵抗２０，２１とコンデンサ２２の時定数を増加させてもスイッチング素子２３のゲ−ト電圧がマイナス電位となるため、コンデンサ１９の電圧が接地側よりも過大にマイナス電位とならないようにダイオ−ド３５を追加している。
また、ダイオ−ド２６を介してインバ−タ回路１０の駆動回路１３の電源電圧を力率改善駆動回路６の電源電圧として供給することにより、力率改善回路３が正常に動作する。これによりダイオ−ドブリッジ２から出力される全波整流波形の電圧では力率改善駆動回路６の電源電圧の波形のリップルが大きくなるのことを防ぐ効果がある。
【００３１】
ここで、放電灯１６のフィラメント１６ａ、１６ｂのどちらかが寿命末期で切れていた場合は、直流バイアス電流の減少により電流検出回路７のスイッチング素子２３のゲート電圧が低下し、スイッチング素子２３がオフし、スイッチング素子３３がオン、スイッチング素子３０もオンとなる。ここで、抵抗２９，３１，３２が力率改善駆動回路６の正常に動作する電圧の１／１０程度になるように設定すると力率改善駆動回路６が動作を停止し、インバ−タ回路１０の直流電源電流圧の供給が停止される。それとともに、インバ−タ回路１０の駆動回路１３の電源電流の供給も停止することでインバ−タ回路１０の出力電圧が下降し、力率改善回路３のスイッチング素子５とインバ−タ回路１０のスイッチング素子１１、スイッチング素子１２を保護することができる。バイアス電流用の抵抗１４の値は通常数百ｋΩで実現可能であるため、インバータ回路１０の出力電圧が下降すると放電灯１６に印加される高周波電圧も急速に下降し、放電灯の交換時の電撃を防止することができる。
【００３２】
また、放電灯１６が正常にソケットに挿入されていない場合も、前述したフィラメント１６ａ、１６ｂが切れていた場合と同様に動作し、力率改善回路３のスイッチング素子５とインバ−タ回路１０のスイッチング素子１１、スイッチング素子１２を保護することができ、放電灯の交換時の電撃も防止することができる。
また、電源スイッチＳＷ１がオンされて常時商用交流電源１から交流電圧がこの放電灯点灯装置に供給されている場合には、放電灯１６を正常なものに交換することにより、正常な放電灯１６をソケットに挿入した状態で電源を投入されたものと同じ手順で放電灯点灯装置が動作し、放電灯１６が高周波点灯される。
【００３３】
《実施例２》
次に、本発明の実施例２の放電灯点灯装置について、図２を参照しつつ説明する。図２は、実施例２の放電灯点灯装置のインバ−タ回路と放電灯と電流検出回路の部分の回路図である。
【００３４】
この実施例２の放電灯点灯装置は、インバ−タ回路１０から出力される高周波出力電圧の負荷として放電灯を２灯とした場合のものである。したがって、実施例１のものと同一部分は同一参照符号を付して重複する説明は省略する。
図２において、実施例２の放電灯点灯装置は、実施例１の放電灯点灯装置の第１の放電灯１６に第２の放電灯３９とその関連回路部品とを新たに追加したものである。
この第２の放電灯３９のバイアス電流検出回路は、チョ−クコイル３６、抵抗３７，４２，４３、共振コンデンンサ３８、コンデンンサ４１，４４、ダイオ−ド４０、スイッチング素子４５により実施例１と同様に構成されている。
【００３５】
本実施例２の放電灯点灯装置においては、第１の放電灯１６のバイアス電流検出回路のスイッチング素子２３と、第２の放電灯３９のバイアス電流検出回路のスイッチング素子４５との論理和された検出信号をスイッチング素子３３のドレインより取り出して実施例1のスイッチング素子３０のゲート端子に出力することができる。
したがって、実施例１の放電灯点灯装置と同様に２つの放電灯１６，３９のいずれの放電灯においてもフィラメント切れやソケットへの挿入異常があった場合にはスイッチング素子３３をオンとすることができる。その結果、インバ−タ回路１０のスイッチング素子１１，１２および力率改善回路３のスイッチング素子５を保護することができ、また放電灯交換時の電撃を防止することができる。
【００３６】
【発明の効果】
上述した実施例で詳細に説明したように、本発明の放電灯点灯装置は下記の効果を有している。
すなわち、放電灯の寿命末期のフィラメント切れ、および放電灯が正常にソケットに挿入されているかどうかを検出し、検出結果に異常があれば直流バイアス電流の検出以外の動作を停止させる。したがって、放電灯装置のスイッチング素子に加わるストレスを除去して放電灯点灯装置を保護するとともに、放電灯の交換時の電撃を防止することができる。
その結果、放電灯点灯装置の信頼性を高めるとともに、高所での作業となる放電灯の交換作業の安全性の向上を図れる。
【図面の簡単な説明】
【図１】本発明の実施例１の放電灯点灯装置のブロック図である。
【図２】本発明の実施例２の２灯式の放電灯点灯装置のブロック図である。
【図３】従来の放電灯点灯装置のブロック図である。
【符号の説明】
１    商用交流電源
２    ダイオ−ドブリッジ
２ａ  プラス側出力端子
３    力率改善回路
４    チョ−クトランス
４ａ  主巻線
４ｂ  補助電源巻線
４ｃ  接地側端子
５    スイッチング素子
６    力率改善駆動回路
６ａ  抵抗
７    電流検出回路
８    ダイオ−ド
９    平滑コンデンサ
１１、１２  スイッチング素子
１３  駆動回路
１４  抵抗
１５  チョークコイル
１６  放電灯
１６ａ、１６ｂ  フィラメント
１７  共振コンデンサ
１８  抵抗
１９  直流カットコンデンサ
２０、２１  抵抗
２２  コンデンサ
２３  スイッチング素子
２４  平滑コンデンサ
２５、２６  ダイオ−ド
２７  共振コンデンサ
２８、２９、３１、３２、３４  抵抗
３０、３３  スイッチング素子
３５  ダイオ−ド
３６  チョークコイル
３７  抵抗
３８  共振コンデンサ
３９  放電灯
４０  ダイオ−ド
４１  直流カットコンデンサ
４２、４３  抵抗
４４  コンデンサ
４５  スイッチング素子
ＳＷ１  電源スイッチ
【図１】
0004597335.tif 000002
【図２】
0004597335.tif 000003
【図３】
0004597335.tif 000004